(57)【特許請求の範囲】
【請求項１】
少なくとも左右の立壁部を有するユニットフレームと、
前記左右の立壁部の間に配設される冷凍機構部と、
前記冷凍機構部の上方に配設され、製氷機構部により氷が製造される製氷部と、
ユニットフレームを設置面側から保持するベースとを少なくとも備える製氷機において、
前記ベースは、
前記冷凍機構部が上面部に固設される本体部と、
この本体部の左右両側に設けられ、本体部から設置面側へ立ち下がる立ち下がり部と、
前記立ち下がり部の間に形成され、設置面から所定寸法離間して本体部の下面から突出する冷凍機構部を固定する固定部材の先端が該設置面に当たらないようにする逃がし部と、
この立ち下がり部の左右両側に延設され、左右の前記立壁部を設置面側から支持する支持部と、
これら支持部上の前後に設けられ、左右の前記立壁部の前後方向の位置決めを行うための突部とを備え、
左右の前記立壁部が、前記立ち下がり部に当接し前記突部によって位置決めされた状態で、前記突部を用いて支持部上に固着されることを特徴とする製氷機。
【発明の詳細な説明】
【０００１】
【発明の属する技術分野】
本発明は、製氷機に関し、特に、筐体構造を構成するベース及びユニットフレームを使用するに際し、ベースに対するユニットフレームの前後左右の位置決めを容易にするとともに、これら前後左右方向の機械的な強度を高めることができる筐体構造を有する製氷機に関するものである。
【０００２】
【従来の技術及び発明が解決しようとする課題】
製氷機には、種々のものあるが、例えば、図８に示すような自動製氷機１は、上方に位置する製氷機構部２と、この製氷機構部２の下方に位置する氷を貯蔵する氷貯蔵部３と、この氷貯蔵部３の下方に位置する冷凍機構部４とを備えている。そして、製氷機構部２から落下した氷が氷貯蔵部３で貯蔵された状態で、利用者は氷貯蔵部３の前扉３ａを開ける（一点鎖線の状態）ことにより、製造された角氷等を取り出すことができる。
この冷凍機構部４の底面側には、ベース材５が取り付けられており、このベース材５は、図９の要部拡大図に示す如く、前後方向に延びる２個の補強部材６が、左右方向（Ｙ１方向）に一定間隔明けて取り付けられている。この補強部材６は、自動製氷器１全体を支える役割の他に、冷凍機構部４内の部品等をその底板部にビス７等を用いて固着する際、ビス７の先端が設置面８に当たらないような「逃げ」を作る役割を果たしている。
しかし、補強部材６をベース材５に取り付ける場合、鋼材等の別部品を予め準備して溶接作業を行う必要があるため、自動製氷機１の製造コストが高くなるとともに、ベース材５及び補強部材６間の溶接が外れることもある。かかるベース材５に対する冷凍機構部４の位置固定の際に、ベース材５は前後位置の位置決め突起部５ａを備えるものの、左右方向（図９のＹ１方向）の位置決め部材を設けていなかったため、ボルト５ｂを用いた固定時に、左右方向の位置ずれが生じやすい。そして、自動製氷機１の左右方向（Ｙ１方向）に外力が掛かった時に、自動製氷機１の機械的強度が劣る傾向がある。
【０００３】
また、補強部材を使用しない他のタイプの自動製氷機としては、例えば図１０に示すように、設置面８側に向かって曲折した構造を左右両端部に有するベース材９を使用するものがある。この場合も、冷凍機構部４内の部品等をその底板部にビス７等を用いて固着する際、ビス７の先端が設置面８に当たらないような「逃げ」を作る役割を果たす。
しかし、この場合も、左右方向（図１０のＹ１方向）の位置決め部材を設けていなかったため、ボルト５ｂを用いてベース材５を冷凍機構部４に位置固定の際に、左右方向（Ｙ１方向）の位置ずれが生じやすい。そして、左右方向（Ｙ１方向）に外力が掛かった時に機械的強度が劣る傾向がある。
そして、設置面８側の端面９ａが下方に露出しているため、運搬時に作業者の手を傷付けることがあるとともに設置面８も傷つけやすく、また、設置面８が水等で濡れている場合、端面９ａに錆が出やすい欠点があった。
【０００４】
また、実開昭６１−１２９９９２号公報に記載の製氷器によれば、図１１に示す製氷器１０の底板１１は、圧縮機１１ａ、凝縮器１１ｂ及びファンモーター１１ｃ等を備えており、底板１１に取り付けられる本体枠１２の下部には、重合するように曲折された垂直な曲折重合部１２ａが形成されているため、図１１の製氷器１０の場合は、底面側に図１０に示すような端面９ａを形成しない。そして、左右の本体枠１２の曲折重合部１２ａの先端には、水平方向に延出された支持片部１２ｂが形成されており、支持片部１２ｂを底板１１上に載置した状態で、底板１１の側面のボルト穴１１ｄに対して、複数のボルト１３を介して曲折重合部１２ａを取り付ける。
このような左右の本体枠１２は、上方からの荷重に対し非常に強くなるとともに、支持片部１２ｂの端面が底板１１上に位置しているため、外部から水がかぶっても支持片部１２ｂの端面に水がかからずに錆にくいと共に、運搬時に手を切ることがない。
【０００５】
しかし、これら曲折重合部１２ａ及び支持片部１２ｂ等を形成するためには、精度を高く鋼板を折り曲げる必要があって、曲げ加工等の作業に費やす時間が長くなるとともに、その労力も多大であった。また、製氷器１０の底板１１及び本体枠１２に、前後方向（図１１のＹ２方向）の位置決め部材を設けていなかったため、底板１１に対する本体枠１２の取り付け時に、前後方向（Ｙ２方向）の位置ずれが生じやすい。そして、前後方向（Ｙ２方向）に外力が掛かった時に、その製氷機１０の機械的強度が劣る傾向がある。
本発明は、上述した問題点を解決するためになされたものであり、筐体構造を構成するベース及びユニットフレームを使用するに際し、ベースに対するユニットフレームの前後左右の位置決めを容易にするとともに、これら前後左右方向の機械的な強度を高めることができる、優れた筐体構造を提供することを目的とする。
【０００６】
【課題を解決するための手段】
この目的を達成するために、請求項１に記載の発明によれば、少なくとも左右の立壁部を有するユニットフレームと、前記左右の立壁部の間に配設される冷凍機構部と、前記冷凍機構部の上方に配設され、製氷機構部により氷が製造される製氷部と、ユニットフレームを設置面側から保持するベースとを少なくとも備える製氷機において、前記ベースは、前記冷凍機構部が上面部に固設される本体部と、この本体部の左右両側に設けられ、本体部から設置面側へ立ち下がる立ち下がり部と、前記立ち下がり部の間に形成され、設置面から所定寸法離間して本体部の下面から突出する冷凍機構部を固定する固定部材の先端が該設置面に当たらないようにする逃がし部と、この立ち下がり部の左右両側に延設され、左右の前記立壁部を設置面側から支持する支持部と、これら支持部上の前後に設けられ、左右の前記立壁部の前後方向の位置決めを行うための突部とを備え、左右の前記立壁部が、前記立ち下がり部に当接し前記突部によって位置決めされた状態で、前記突部を用いて支持部上に固着されることを特徴とする。
【０００７】
このようにユニットフレームの左右の立壁部は、ベースの支持部に支持された状態で左右の立ち下がり部に当接することによって、左右方向に位置決めされる。そして、ベースの前後の突部によって前後方向に位置決めされた状態で、突部を用いて支持部上に固着される。それにより、ベースに対するユニットフレームの前後左右の位置決めを容易にするとともに、これら前後左右方向の機械的な強度を高めることができる。また、支持部上の突部が、左右の立壁部の前後方向の位置決めをし、更にベースと左右の立壁部とを固着する際に使用されるので、効率的に使用することができる。更に、ベースの本体部から設置面側へ立ち下がった支持部にユニットフレームの立壁部が載るので、筐体の高さを全体的に低くすることができる。又、設置面より所定寸法離間して本体部の下面から突出する冷凍機構部を固定する固定部材の先端が該設置面に当たらないようにする逃がし部が形成されているので、当該製氷機を構成する冷凍機構部の部品を本体部の上面にビス等で固着する場合に、本体部の下面から突出するビス等の先端が設置面に接触することはない。
尚、本体部、立ち下がり部、支持部及び突部等を備えるベースが、一体的に形成される場合、低コストで製造できるとともに作業性が良くなる。特に、本体部、立ち下がり部及び支持部を、一枚の鋼板をクランク状に折り曲げて形成するのが望ましい。
【０００８】
【発明の実施の形態】
以下、本発明の筐体構造の実施の形態を、図面を参照して説明する。但し、筐体構造の一例としての製氷機用筐体を用いて製造される自動製氷機は、図８に示す従来構成とほぼ同様の構成となるため、同一の部分については、同一符号を用いて説明する。
この実施の形態の場合、自動製氷機１は、図８に示す製氷機構部２、氷貯蔵部３及び冷凍機構部４を備え、利用者は前扉３ａを開けて（一点鎖線で示す）、氷貯蔵部３で貯蔵される氷を取り出すことができる点で従来構成と同じであるが、図８に示すベース材５及び補強部材６等を使用しない点で異なる。
その自動製氷機１を構成する製氷機用筐体は、図１〜図３で示されるベース２０と、このベース２０上に載置されるユニットフレーム２１（図４及び図５参照）とを備えている。ここで、図１は同実施の形態のベース２０を拡大して示す平面図であり、図２は同ベース２０の拡大正面図である。図３は同ベース２０の拡大側面図である。図４はユニットフレーム２１を拡大して示す正面図であるが、ユニットフレーム２１は、左右の立壁部として左右の側面部２１ａ、２１ｂを備える。図５は同ユニットフレーム２１を拡大して示す一部断面図である。図６は、ベース２０とユニットフレーム２１とが結合した状態の要部を示す拡大斜視図であるが、ベース２０を見やすくするため、ユニットフレーム２１を一点鎖線で示す。
【０００９】
この製氷機用筐体のベース２０は、図１に示すほぼ正方形状の本体部２０ａと、この本体部２０ａの左右両側に設けられ、本体部２０ａから設置面８側（図２参照）へ立ち下がる左右の立ち下がり部２０ｂと、これら立ち下がり部２０ｂの左右両側に延設され、左右の側面部２１ａ、２１ｂを設置面８側から支持する左右の支持部２０ｃと、これら左右の支持部２０ｃ上の前端部及び後端部に設けられ、左右の側面部２１ａ、２１ｂの前後方向の位置決めを行うための突部２０ｄとを備える。
具体的には、ベース２０の前端部及び後端部に位置する突部２０ｄの間の寸法Ｔ１（図１参照）は、ユニットフレーム２１の左右の側面部２１ａ、２１ｂの寸法と一致し、左右の側面部２１ａ、２１ｂが、前端部及び後端部の突部２０ｄの間に填り込むことにより、その側面部２１ａ、２１ｂは、前後方向（Ｙ２方向）に位置ずれを起こさない。尚、左右の立ち下がり部２０ｂは、設置面８側へほぼ垂直に立ち下がるのが望ましいが、必要に応じて変更しても良い。また、立ち下がり部２０ｂから左右両側に延設される左右の支持部２０ｃは、左右の側面部２１ａ、２１ｂの厚さより長くして、左右の側面部２１ａ、２１ｂをそれぞれ確実に載せるようにする。
【００１０】
また、突部２０ｄには、ボルト穴２０ｅ（図２参照）がそれぞれ形成されているので、作業者は、ボルト穴２０ｅを介してボルト２２（図６参照）を挿入し、更に後述する案内孔２１ａ１、２１ｂ１（図４参照）に挿入することにより、左右の側面部２１ａ、２１ｂを締め付けることができる。このようにボルト２２を用いて、左右の側面部２１ａ、２１ｂをベース２０に固定する際に、左右の側面部２１ａ、２１ｂは、左右の立ち下がり部２０ｂにそれぞれ当接するので、左右方向（Ｙ１方向）の位置ずれを起こさない。
特に、左右の支持部２０ｃに側面部２１ａ、２１ｂの荷重が掛かった状態で、立ち下がり部２０ｂに側面部２１ａ、２１ｂが当接することにより、側面部２１ａ、２１ｂは、左右方向（Ｙ１方向）の力に対して強くなる。更に、支持部２０ｃの底面側が、設置面８と対向するので、運搬時に作業者の手を傷付けることがないし、また、設置面８を傷つけることもない。
尚、設置面８側（図２参照）へ立ち下がる左右の立ち下がり部２０ｂの高さは、図９及び図１０の従来技術と同様に、本体部２０ａにビス７等を用いて部品等を固着する際、ビス７の先端が設置面８に当たらないような「逃げ」を作ることを考慮して設定する。
【００１１】
この製氷機用筐体のユニットフレーム２１は、図４及び図５に示すように、左右の側面部２１ａ、２１ｂ、前面部２１ｃ及び裏面部２１ｄを有する他に、中段の位置に上下を分離する壁部２１ｅを備えている。その前面部２１ｃの中段の壁部２１ｅの上方には、前扉３ａを取り付けるようになっている。
そして、中段の壁部２１ｅの上方における、左右の側面部２１ａ、２１ｂ、前面部２１ｃ及び裏面部２１ｄで囲まれたところが、氷貯蔵部３及び製氷機構部２を構成する。また、中段の壁部２１ｅの下方における、左右の側面部２１ａ、２１ｂ、前面部２１ｃ及び裏面部２１ｄで囲まれたところが、冷凍機構部４を構成する。
その製氷機構部２及び冷凍機構部４は、従来の構造と同様な構成になっており、製氷機構部２は例えば製氷室、水皿、製氷用水タンク等を有し、また、冷凍機構部４は図１０に示す圧縮機１１ａ、凝縮器１１ｂ及びファンモーター１１ｃの他に、例えば電装盤、脱水機、脱水用電磁弁等を備えているが、これら製氷機構部２及び冷凍機構部４の構成は周知であるので、ここでは詳細な説明を省略する。
尚、中段の壁部２１ｅ、左右の側面部２１ａ、２１ｂ、前面部２１ｃ及び裏面部２１ｄは、断熱効果を高めるべく、例えばウレタン発泡材からなるのが望ましい。また、中段の壁部２１ｅの奥側には、排水孔部２１ｆが形成されている。また、左右の側面部２１ａ、２１ｂの下方側には、ボルト２２を挿通するための、案内孔２１ａ１、２１ｂ１がそれぞれ形成されている。
【００１２】
次に、自動製氷機１の製造工程について説明する。
最初に、作業者は治具部品等を組み合わせ、その組み合わされたものの内部に、ウレタン発泡等を行うことにより、ユニットフレーム２１を形成する。また、鋼板を切断した後に折り曲げ加工等を施して、ベース２０を製造する。特に、本体部２０ａ、立ち下がり部２０ｂ、支持部２０ｃ及び突部２０ｄ等を備えるベース２０が、一枚の鋼板を用いて切断及び折り曲げ加工により形成される場合、低コストで作業性が良くなる。
このように製造されたベース２０上に、圧縮機、凝縮器、ファンモーター、電装盤、脱水機及び脱水用電磁弁等を、ビス７等を用い適当な装着方法により固定する。その後、作業者はあたかもユニットフレーム２１を落とし込むような感じで、ユニットフレーム２１をベース２０上へ降下させると、側面部２１ａ、２１ｂがベース２０の支持部２０ｃ上に支持される。この場合、ユニットフレーム２１の側面部２１ａ、２１ｂは、ベース２０の立ち下がり部２０ｂに当接することによって、左右方向（Ｙ１方向）に位置決めされる。そして、ユニットフレーム２１の側面部２１ａ、２１ｂは、ベース２０の前端部及び後端部に位置する突部２０ｄによって、前後方向（Ｙ２方向）に位置決めされる。
【００１３】
このような位置決めが行われると、ベース２０の突部２０ｄに形成されるボルト穴２０ｅの位置と、案内孔２１ａ１、２１ｂ１の位置が重なり合うので、ボルト２２を挿通することができる。そして、ボルト２２を側面部２１ａ、２１ｂの案内孔２１ａ１、２１ｂ１に通して、ボルト２２で締め付けることにより、支持部２０ｃ上の前端部及び後端部に位置する突部２０ｄを、左右の側面部２１ａ、２１ｂに確実に固着することができる。従って、ベース２０上におけるユニットフレーム２１の位置決めが確実に行われ、ユニットフレーム２１はベース２０上の所定位置において水平状態で固定されるので、自動製氷機１自体も設置面８上に水平状態になる。
その後、製氷機構部２及び氷貯蔵部３を構成する部品等をユニットフレーム２１内に装着する。更に製氷機構部２及び冷凍機構部４間を連結するべく、配管部及び配線部（図示せず）をそれぞれ装着し、前扉３ａ等を取り付ける。従って、ユニットフレーム２１及びベース２０を少なくとも備える製氷機用筐体を用いて自動製氷機１を製造できる。
【００１４】
以上、詳細に説明したように、この実施の形態の発明によれば、少なくとも左右の側面部２１ａ、２１ｂを有するユニットフレーム２１と、このユニットフレーム２１を設置面８側から保持するベース２０とを少なくとも備える製氷機用筐体において、ベース２０は、本体部２０ａと、この本体部２０ａの左右両側に設けられ、本体部２０ａから設置面８側へ立ち下がる立ち下がり部２０ｂと、この立ち下がり部２０ｂの左右両側に延設され、左右の側面部２１ａ、２１ｂを設置面８側から支持する支持部２０ｃと、これら支持部２０ｃ上に設けられ、左右の側面部２１ａ、２１ｂの前後の位置決めを行うための突部２０ｄとを備える。そして、左右の側面部２１ａ、２１ｂが、左右の立ち下がり部２０ｂに当接し、前後の突部２０ｄによって位置決めされた状態で、突部２０ｄを用いて支持部２０ｃ上に固着される。
それにより、左右の側面部２１ａ、２１ｂは、支持部２０ｃで支持された状態で、立ち下がり部２０ｂ及び突部２０ｄによって、左右方向（Ｙ１方向）及び前後方向（Ｙ２方向）に確実に位置決めされる。それにより、自動製氷機１は、これら前後左右の機械的な強度を高めることができる。
【００１５】
また、突部２０ｄが、左右の側面部２１ａ、２１ｂの前後方向の位置決め及び固着用の両方の役割に果たすので、効率的に使用することができる。特に、この実施の形態の場合、図９に示すビス７の先端が設置面８に当たらないようにする補強部材６を、ベース２０に取り付ける必要もないので、自動製氷機１を低コストで製造できる。また、図９に示す補強部材６が無い分だけ、自動製氷機１の高さを低く設定でき、更にベース２０の支持部２０ｃに、ユニットフレーム２１の側面部２１ａ、２１ｂが載るので、自動製氷機１の高さを全体的に低くすることができ、需要者に美観及び安定感を感じさせることができる。
また、図１０に示すような端面９ａと異なって、ユニットフレーム２１の左右の側面部２１ａ、２１ｂの下端面が、ベース２０の支持部２０ｃに支持され、設置面８側に露出していないので、自動製氷機１の運搬時に作業者の手を傷付けることがないし、設置面８を傷つけることもないし、更に錆も出ない。そして、ユニットフレーム２１の側面部２１ａ、２１ｂの端面に、図１１に示すような曲折重合部を形成する必要もないので、曲げ加工等の作業に費やす時間が不要になって、低コストでユニットフレーム２１を製造できる。
【００１６】
尚、本発明は上述した実施の形態に限定されるものでなく、その趣旨を逸脱しない範囲で様々な変更が可能である。例えば、上記の実施の形態では、製氷機構部２が氷貯蔵部３の上側に位置し、冷凍機構部４が下方側に位置した構成であるが、必ずしもその構成に限った訳では無い。
また、ボルト穴２０ｅを形成する位置は、図６に示すようなベース２０の突部２０ｄである必要は無い。他の実施の形態としては、図７に示すように、例えばベース２０の立ち下がり部２０ｂに形成し、ベース２０の立ち下がり部２０ｂの内側からボルト２２で締め付けても良く、この場合も、ユニットフレーム２１の側面部２１ａ、２１ｂは、突部２０ｄを用いて支持部２０ｃ上に固着されることになる。
更に、左右の側面部２１ａ、２１ｂを位置決めする突部２０ｄは、必ずしも本体部２０ａの前端部及び後端部に設ける必要はなく、必要に応じて変更しても良い。また、本発明の立壁部は左右の側面部２１ａ、２１ｂ以外のものであってもよい。
ベース２０の突部２０ｄとユニットフレーム２１の側面部２１ａ、２１ｂとの固着方法としては、例えばビス止め、ネジ止め等のその他のものであってもよい。また、ユニットフレーム２１及びベース２０の形状及び構造としては、上記実施の形態以外のものを用いても良い。更に、支持部２０ｃに底面側に、図１１に示すような脚部を設けてもよい。
また、製氷機を製造するための製氷機用筐体は、例えば喫茶店、飲食店等の施設その他の厨房等において使用されるものに限らず、貯蔵用の大型冷凍庫を有するものなどに利用されてもよい。
【００１７】
また、この発明の製氷機に係る筐体構造は、必ずしも製氷機用筐体について使用されるものではなく、例えば冷蔵庫、冷凍機、洗浄機、空調機器、高温庫、高湿庫、飲料供給器、ショーケース、電子レンジ等の調理機器、衛生管理機器等の筐体を製造するために用いてもよい。
例えば、蒸発器、送風機、ロータリーコンプレッサ等を固定する機械室がベース上に形成されるもの、例えば冷蔵庫、空気調和器、低温ショーケース等の冷凍・空調機に、本発明を使用する場合、ベースに対するユニットフレームの前後左右の位置決めを容易にするとともに、これら前後左右方向の機械的な強度を高めることができる。また、例えば冷蔵庫の場合、テーブル型、アンダーカウンター型（例えば特開平７−４８２４号公報参照）のものに適用しても良い。更に、ベース上に洗浄室及び機械室等を形成する食器洗浄機、器具洗浄機その他の洗浄機に本発明を適用してもよい。また、例えばお茶、冷水、コーヒー等の飲料供給器（例えば特開平６−３３１２５５号公報参照）に本発明を適用してもよい。
【００１８】
【発明の効果】
以上、説明したことから明らかなように、本発明の製氷機によれば、少なくとも左右の立壁部を有するユニットフレームと、前記左右の立壁部の間に配設される冷凍機構部と、前記冷凍機構部の上方に配設され、製氷機構部により氷が製造される製氷部と、このユニットフレームを設置面側から保持するベースとを少なくとも備える製氷機において、前記ベースは、前記冷凍機構部が上面部に固設される本体部と、この本体部の左右両側に設けられ、本体部から設置面側へ立ち下がる立ち下がり部と、前記立ち下がり部の間に形成され、設置面から所定寸法離間して本体部の下面から突出する冷凍機構部を固定する固定部材の先端が該設置面に当たらないようにする逃がし部と、この立ち下がり部の左右両側に延設され、左右の立壁部を設置面側から支持する支持部と、これら支持部上に設けられ、左右の立壁部の前後の位置決めを行うための突部とを備え、前記左右の立壁部が、前記立ち下がり部に当接し前記突部によって位置決めされた状態で、前記突部を用いて支持部上に固着されるので、左右の立壁部は、ベースの立ち下がり部に当接することによって左右方向に位置決めされるとともに、ベースの突部によって前後方向の位置決めされた状態で、突部を用いて支持部上に固着される。
それにより、ベースに対するユニットフレームの前後左右の位置決めを容易にでき、これら前後左右方向の機械的な強度を高めることができるので、優れた筐体を製造することができる。また、支持部上の突部が、左右の立壁部の前後方向の位置決めをし、更にベースと左右の立壁部とを固着する際に使用されるので、効率的に使用される。そして、設置面より所定寸法離間して本体部の下面から突出する冷凍機構部を固定する固定部材の先端が該設置面に当たらないようにする逃がし部が形成されているので、当該製氷機を構成する冷凍機構部の部品を本体部にビス等で固着する場合に、ビス等の先端が設置面に接触することはない。
【図面の簡単な説明】
【図１】  この実施の形態のベースを拡大して示す平面図である。
【図２】  同ベースの拡大正面図である。
【図３】  同ベースの拡大側面図である。
【図４】  この実施の形態のユニットフレームを拡大して示す正面図である。
【図５】  同ユニットフレームの拡大して示す一部断面図である。
【図６】  同ベースとユニットフレームとが結合した状態の要部を示す拡大斜視図である。
【図７】  他の実施の形態の図６相当図である。
【図８】  従来の製氷機の側面図である。
【図９】  図８の要部拡大の正面図である。
【図１０】  従来の製氷機の図９相当図である。
【図１１】  従来の製氷機の組み立て状態を示す斜視図である。
【符号の説明】
１・・・自動製氷機，２・・・製氷機構部，３・・・氷貯蔵部，４・・・冷凍機構部，３ａ・・・前扉，７・・・ビス，８・・・設置面，２０・・・ベース，２０ａ・・・本体部，２０ｂ・・・立ち下がり部，２０ｃ・・・支持部，２０ｄ・・・突部，２０ｅ・・・ボルト穴，２１・・・ユニットフレーム，２１ａ・・・左側面部，２１ｂ・・・右側面部, ２１ｄ・・・裏面部，２１ｃ・・・前面部，２２・・・ボルト，２１ａ１、２１ｂ１・・・案内孔，Ｙ１・・・左右方向，Ｙ２・・・前後方向
【図１】
0003850165.tif 000002
【図２】
0003850165.tif 000003
【図３】
0003850165.tif 000004
【図４】
0003850165.tif 000005
【図５】
0003850165.tif 000006
【図６】
0003850165.tif 000007
【図７】
0003850165.tif 000008
【図８】
0003850165.tif 000009
【図９】
0003850165.tif 000010
【図１０】
0003850165.tif 000011
【図１１】
0003850165.tif 000012